(57)【特許請求の範囲】
【請求項１】
キーボードに適用して設置される取り替え式キーモジュールであって、
内部に収容空間を有すると共に第一面には開口部を有し、
前記第一面に対向する第二面には、貫通孔を有するキーキャップホルダーと、前記キーキャップホルダー内に設置され前記第二面に設けられる弾性部材と、前記キーキャップホルダーに可動するよう設置されると共に前記開口部に貫設された後に前記弾性部材に接触され解放位置とプッシュ位置の間を往復して変位するキーキャップとを含み、
前記弾性部材は未受力の場合には前記キーキャップに当接して前記解放位置で常態を保持し、前記キーキャップが前記プッシュ位置に移動されると、前記キーキャップが前記弾性部材を押して前記貫通孔を貫通することを特徴とする取り替え式キーモジュール。
【請求項２】
前記キーキャップホルダーの側面にスライド槽を有し、前記キーキャップは前記スライド槽に係合されると共に前記キーキャップに前記解放位置と前記プッシュ位置との間を往復して変位する係合部を有することを特徴とする、請求項１に記載の取り替え式キーモジュール。
【請求項３】
前記キーキャップは互いに結合される作動部とプッシュ部とを有し、前記作動部は前記開口部を貫通した後に前記弾性部材に接触し、前記プッシュ部は前記キーキャップホルダーの外に配置されることを特徴とする、請求項１に記載の取り替え式キーモジュール。
【請求項４】
前記弾性部材は凹型槽部を有し、前記キーキャップは前記作動部上に設置される圧迫柱を更に有し、前記圧迫柱は前記凹型槽部内に内設されることを特徴とする、請求項３に記載の取り替え式キーモジュール。
【請求項５】
前記キーキャップホルダーは少なくとも一つの抜き取り孔を更に有することを特徴とする、請求項１に記載の取り替え式キーモジュール。
【請求項６】
キーボードであって、
内部に収容空間を有する本体と、
前記本体内に設置されると共に複数のトリガースイッチを電気的に設置する導電部材と、
前記本体上に設置されると共に複数の開口部を有し、前記導電部材の前記トリガースイッチにそれぞれ対応するカバープレートと、
前記カバープレートに設置されると共に前記導電部材のそれら前記トリガースイッチにそれぞれ対応される複数の取り替え式キーモジュールとを含み、
前記取り替え式キーモジュールは、
内部に収容空間を有すると共に第一面には開口部を有し、前記第一面に対向する第二面には貫通孔を有するキーキャップホルダーと、
前記キーキャップホルダー内に設置され、且つ前記第二面に設けられる弾性部材と、
前記キーキャップホルダーに可動するよう設置され、前記開口部に貫設された後に前記弾性部材に接触されて、解放位置とプッシュ位置の間を往復して変位するキーキャップを更に含み、
前記弾性部材が未受力の場合、前記弾性部材は前記キーキャップに当接させて前記キーキャップに前記解放位置で常態を保持させ、前記キーキャップが前記プッシュ位置に配置されると、前記キーキャップは前記弾性部材を押して前記貫通孔を貫通することを特徴とするキーボード。
【請求項７】
前記キーキャップホルダーの側面にはスライド槽を有し、前記キーキャップは前記スライド槽に係合される係合部を有すると共に前記キーキャップに前記解放位置と前記プッシュ位置との間を往復して変位する係合部を有することを特徴とする、請求項６に記載のキーボード。
【請求項８】
前記キーキャップは互いに結合される作動部とプッシュ部とにより構成され、前記作動部は前記開口部を貫通した後に前記弾性部材に接触し、前記プッシュ部は前記キーキャップホルダーの外に配置されることを特徴とする、請求項６に記載のキーボード。
【請求項９】
前記弾性部材は凹型槽部を有し、前記キーキャップは前記作動部上に設置される圧迫柱を更に有し、前記圧迫柱は前記凹型槽部内に内設されることを特徴とする、請求項８に記載のキーボード。
【請求項１０】
前記キーキャップホルダーは少なくとも一つの抜き取り孔を更に有することを特徴とする、請求項６に記載のキーボード。
【請求項１１】
前記キーキャップホルダーは少なくとも一つの槽孔を更に有し、前記カバープレートは前記槽孔に係合されるフック部材を有すると共に前記キーキャップホルダーを前記カバープレート上に固設させる少なくとも一つのフック部材を更に有することを特徴とする、請求項６に記載のキーボード。
【発明の詳細な説明】
【技術分野】
【０００１】
本発明はキーモジュールに関し、より詳しくは、弾性部材の異なる押圧圧力設定により、ユーザーが需要に合わせキーキャップの特定の荷重を選択可能な取り替え式キーモジュール及び取り替え式キーモジュールを有するキーボードに関する。
【背景技術】
【０００２】
キーボードはパソコンの主要入力装置である。ノート型パソコンにとって、キーボードは一体成形される本体構造の一部分である。しかしながら、パソコンの他の部分に比べ、キーボードの耐用年数は短い。例えばキーボード表面が汚れて表面に印字されている文字が判読困難になる問題、キーが押圧或いは回復不可になる問題、或いはユーザーが飲み物等の液体をキーボード内へこぼし、ショートを引き起こす等の問題が、キーボードの使用寿命を縮めている。
【先行技術文献】
【特許文献】
【０００３】
【特許文献１】台湾実用新案公報第Ｍ３８６５３７号公報
【発明の概要】
【発明が解決しようとする課題】
【０００４】
しかし、キーボードに操作上または電気的な問題が発生した場合、通常は新しいキーボードに交換するため、ユーザーが修理に出さねばならず、時間が掛かり、更に不要な浪費を招いた。
【０００５】
また、従来のキーボード上に印字されている文字の改訂や、異なる字型や印字の変更に対応が出来ず、他の一層の薄膜をキーボード上に設置させるか、キーボード上の本来の字体を除去し、必要な字型或いは印字を新たにプリントする必要があった。
【０００６】
上述の２種類の方式は処理が煩雑であり時間が掛かるのみならず、キーボード内部に配置されるキー薄膜は一体成型される薄膜であるため、従来のキーボードの各キーの押圧荷重が同じであり、不慣れなユーザーや特殊な需要があるユーザーにとって操作上の不便を生じさせた。
【０００７】
その他、ユーザーがキーの色を変えたい、或いは異なる押圧感のキーに変更したい場合、従来技術のキーにおいてキー単独での交換が出来ないため、キーボードそのものを交換せねばならず、キーを自分で定義出来るように設計するならば、従来のキーでは個別のキー標示にその機能を標示出来なかった。
【０００８】
この為、取り替え式キーモジュールにより、キーボードそのものは交換せず、特定のキーのみを交換する事で問題を解決し、上述の従来の各種欠点を回避する事は、解決が待たれる問題であった。
【０００９】
本発明は、このような従来の問題に鑑みてなされたものである。本発明は、従来の技術のキーモジュールでは単独での交換が行なえない為に余計な出費が発生し、更には従来技術の深刻な時間の浪費と交換部材のメンテナンスが手早く行えない等の問題を解決させることを解決する、取り替え式キーモジュール及び取り替え式キーモジュールを有するキーボードを提供することを主目的とする。
【課題を解決するための手段】
【００１０】
上述した課題を解決し、目的を達成するために、本発明に係るキーボードに設置される取り替え式キーモジュールは、内部に収容空間を有すると共に第一面には開口部を有し第一面に対向する第二面には貫通孔を有するキーキャップホルダーと、キーキャップホルダー内に設置され且つ前記第二面に設けられる弾性部材と、キーキャップホルダーに可動するよう設置されると共に開口部に貫設された後に弾性部材に接触し、解放位置とプッシュ位置との間を往復して変位するキーキャップとを含み、弾性部材は未受力の場合にキーキャップを押して解放位置で常態を保持し、キーキャップがプッシュ位置に配置されると、キーキャップは弾性部材を押して貫通孔を貫通することを特徴とする。
【００１１】
本発明に係る取り替え式キーモジュールを有するキーボードは、内部に収容空間を有する本体と、本体内に設置されると共に複数のトリガースイッチを電気的に設置させる導電部材と、本体上に設置されると共に複数の開口部とを有し、導電部材のそれらトリガースイッチにそれぞれ対応するカバープレートと、各々がカバープレートに設置されると共に導電部材のそれらトリガースイッチにそれぞれ対応する複数の取り替え式キーモジュールとを含む。各取り替え式キーモジュールは、内部に収容空間を有すると共に第一面に開口部を有し、第一面に対向する第二面に貫通孔を有するキーキャップホルダーと、キーキャップホルダー内に設置され且つ第二面に設けられる弾性部材と、キーキャップホルダーに可動するよう設置され開口部に貫設された後に弾性部材に接触されて、解放位置とプッシュ位置の間を往復して変位するキーキャップとを更に含み、弾性部材が未受力の場合、弾性部材はキーキャップを当接してキーキャップに解放位置で常態を保持させ、キーキャップがプッシュ位置に位置されると、キーキャップは弾性部材を押して貫通孔を貫通させることを特徴とする。
【発明の効果】
【００１２】
本発明によると、キーを単独で交換でき、キーボードそのものの交換が必要となる従来の技術の各種欠点を解決させるほか、弾性部材の異なる押圧圧力の設定により、ユーザーは個人の好みに合わせてキーキャップを変換可能になり、ユーザーの操作感と習慣に対して更に最適化される。
【図面の簡単な説明】
【００１３】
【図１】本発明に係る一実施形態の取り替え式キーモジュールの傾斜組み合わせ図である。
【図２】本発明に係る一実施形態の取り替え式キーモジュールの傾斜分解図である。
【図３】本発明に係る一実施形態の取り替え式キーモジュールの断面図である。
【図４】本発明に係る一実施形態の取り替え式キーモジュールの作動概略図である。
【図５】本発明に係る一取り替え式キーモジュールをキーボードから外した概略図である。
【図６】本発明に係る一実施形態の取り替え式キーモジュールを有するキーボードの傾斜組み合わせ図である。
【図７】本発明に係る一実施形態の取り替え式キーモジュールを有するキーボードの傾斜分解図である。
【図８】本発明に係る一実施形態の取り替え式キーモジュールを有するキーボードの断面図である。
【発明を実施するための形態】
【００１４】
以下、図面を参照して本発明を実施するための形態について詳細に説明する。なお、本発明は、以下に説明する実施形態に限定されるものではない。
【００１５】
（第１実施形態）
図１から図８において、本発明の第１実施形態の構成を示す。図１は本発明の実施形態に係る取り替え式キーモジュール１００の傾斜組み合わせ図である。図２は本発明に係る実施形態の取り替え式キーモジュール１００の傾斜分解図である。図３は本発明に係る実施形態の取り替え式キーモジュール１００の断面図である。
【００１６】
図１ないし図３は、本発明に係る実施形態の取り替え式キーモジュール１００である。キーボード（図６のキーボード１０）に適用し設置される取り替え式キーモジュール１００は、キーキャップホルダー１２０と、弾性部材１４０と、キーキャップ１６０とにより構成される。キーキャップホルダー１２０の内部には収容空間を有すると共に、キーキャップホルダー１２０の第一面（キーキャップホルダー１２０の上面）には開口部１２１を有する。キーキャップホルダー１２０の第一面に対向する第二面（キーキャップホルダー１２０の底面）には貫通孔１２３を有する。弾性部材１４０はキーキャップホルダー１２０内に設置される。キーキャップ１６０はキーキャップホルダー１２０の第二面上に設けられ、キーキャップホルダー１２０に可動するよう設置されると共に開口部を貫設した後弾性部材１４０に接触され、解放位置とプッシュ位置との間を往復して変位する。また、図４によると、弾性部材１４０が未受力の場合はキーキャップ１６０に当接させて解放位置で常態を保持し、キーキャップ１６０がプッシュ位置に移動されると、キーキャップ１６０は弾性部材１４０を貫通孔１２３にまで押す。
【００１７】
図１から図３によると、キーキャップホルダー１２０の側面にはスライド槽１２２が配置される。キーキャップ１６０はスライド槽１２２に係合されると共にキーキャップ１６０に解放位置とプッシュ位置の間を往復させて変位させる係合部１６６を有する。また図４の本発明に係る実施形態の取り替え式キーモジュールの作動概略図によると、スライド槽１２２と係合部１６６間の位置が限定されるため、キーキャップ１６０がキーキャップホルダー１２０から外れる問題を回避できる。
【００１８】
キーキャップ１６０は互いに連結される作動部１６５とプッシュ部１６１とを有し、作動部１６５はキーキャップホルダー１２０の第一面の開口部１２１を貫通した後に弾性部材１４０に接触される。プッシュ部１６１はキーキャップホルダー１２０の外に配置される。ここで、キーキャップ１６０の係合部１６６とキーキャップホルダー１２０のスライド槽１２２との位置はキーキャップ１６０とキーキャップホルダー１２０との他の対向する面上にそれぞれ設置され、また係合部１６６とスライド槽１２２との位置も上述のそれぞれの配置の関係に制限されず、係合部１６６とスライド槽１２２との位置の入れ替えも排除しない。
【００１９】
図２は取り替え式キーモジュール１００の傾斜分解図である。弾性部材１４０は凹型槽部１４１を有し、キーキャップ１６０は圧迫柱１６８を更に有する。図３と図４によると、圧迫柱１６８は作動部１６５上に設置され、圧迫柱１６８は凹型槽部１４１内に内設される。弾性部材１４０の材質はゴム材料であるが、これに限定されるわけではない。
【００２０】
図５は、本発明の取り替え式キーモジュール１００をキーボード１０から取り外した概略図である。キーキャップホルダー１２０は少なくとも一つの抜き取り孔１２６を更に有し、キーモジュール１００をキー抜き器８０によりキーボード１０から切り離す。この他、キーキャップホルダー１２０は少なくとも一つの槽孔１２４を更に有し、カバープレート６０は槽孔１２４に係合されると共にキーキャップホルダー１２０をキーボード１０上に固設する少なくとも一つのフック部材６４を更に有する。
【００２１】
図６は本発明に係る実施形態の取り替え式キーモジュールを有するキーボード１０の傾斜概略図であり、図７は本発明に係る実施形態の取り替え式キーモジュールを有するキーボード１０の傾斜分解図である。ここで、本発明に係る実施形態のキーボード１０は、内部に収容空間を有する本体２０と、本体２０内に設置されると共に複数のトリガースイッチ４２を電気的に設置させる導電部材４０と、本体２０上に設置されると共に導電部材４０のそれらのトリガースイッチ４２にそれぞれ対応する複数の開口部６５を有するカバープレート６０と、各々がカバープレート６０の開口部内に設置されると共に導電部材４０の特定のトリガースイッチ４２に対応する複数のキーモジュール１００とによって構成される。
【００２２】
本実施形態の各キーモジュール１００の構造は図１から図４に図示されているため、更なる説明を省略する。この他、キーキャップホルダー１２０は少なくとも一つの槽孔１２４を更に有し、カバープレート６０は槽孔１２４に係合されると共にキーキャップホルダー１２０をカバープレート６０上に固設する少なくとも一つのフック部材６４を更に有する。
【００２３】
以上のように、本発明の取り替え式キーモジュール及び取り替え式キーモジュールを有するキーボードは、従来のキーボードの欠点を有効的に改善し、本発明の単独取り替え式キーモジュールの方式により、操作者は手早く且つ経済的にキーモジュールの交換作業が可能となり、キーボードそのものを交換する必要もなくなる。同時に、本発明では各キーモジュール内の弾性部材の異なる押圧圧力の設定により、ユーザーは必要に合わせて各キーキャップの特定の荷重を選択出来、ユーザーの操作感と使用習慣に対して更に最適化される。
【００２４】
上述の実施形態は、本発明の技術思想及び特徴を説明するためのものに過ぎず、当該技術分野を熟知する者に本発明の内容を理解させると共にこれをもって実施させることを目的とし、本発明の特許請求の範囲を限定するものではない。従って、本発明の精神を逸脱せずに行う各種の同様の効果をもつ改良又は変更は、後述の請求項に含まれるものとする。
【符号の説明】
【００２５】
１０  …  キーボード
２０  …  本体
４０  …  導電部材
４２  …  トリガースイッチ
６０  …  カバープレート
６４  …  フック部材
６５  …  開口部
８０  …  キー抜き器
１００  …  キーモジュール
１２０  …  キーキャップホルダー
１２１  …  開口部
１２２  …  スライド槽
１２３  …  貫通孔
１２４  …  槽孔
１２６  …  抜き取り孔
１４０  …  弾性部材
１４１  …  凹型槽部
１６０  …  キーキャップ
１６１  …  プッシュ部
１６５  …  作動部
１６６  …  係合部
１６８  …  圧迫柱
【図１】
0005329688.tif 000002
【図２】
0005329688.tif 000003
【図３】
0005329688.tif 000004
【図４】
0005329688.tif 000005
【図５】
0005329688.tif 000006
【図６】
0005329688.tif 000007
【図７】
0005329688.tif 000008
【図８】
0005329688.tif 000009